(57)【要約】【課題】大型の可動演出手段を搭載した場合でも可動演出手段と前構造体とが干渉しないように前構造体と後構造体とを正確に位置決めできる弾球遊技機を提供する。【解決手段】遊技盤５に対して前側から着脱自在に装着される前構造体２１と、前構造体２１に対応して遊技盤５の裏側に着脱自在に装着される後構造体２３と、前構造体２１と後構造体２３との間に配置され且つ後構造体２３側に設けられた可動演出手段３２とを有するセンターケースを備えた弾球遊技機で、遊技盤５に対して前構造体２１を位置決めする第１位置決め手段５４と、前構造体２１に対して後構造体２３を位置決めする第２位置決め手段５５とを備え、第２位置決め手段５５は、後構造体２３側に設けられた位置決め孔５９ａ等と、前構造体２１側に設けられ且つ位置決め孔５９ａ等に対して前後方向に嵌合する位置決め突部５８ａ等とで構成されているものである。【選択図】図５
2010279794.tif 000002
【特許請求の範囲】
【請求項１】
遊技盤（５）に形成された装着孔（２０）に対して前側から着脱自在に装着される前構造体（２１）と、後側に配置される画像表示手段（２２）の表示窓（２５）を有し且つ前記前構造体（２１）に対応して前記遊技盤（５）の裏側に着脱自在に装着される後構造体（２３）と、前記前構造体（２１）と前記後構造体（２３）との間に配置され且つ前記後構造体（２３）側に設けられた可動演出手段（３２）とを有するセンターケース（１３）を備えた弾球遊技機において、前記遊技盤（５）に対して前記前構造体（２１）を位置決めする第１位置決め手段（５４）と、前記前構造体（２１）に対して前記後構造体（２３）を位置決めする第２位置決め手段（５５）とを備え、前記第２位置決め手段（５５）は、前記後構造体（２３）側又は前記前構造体（２１）側に設けられた位置決め孔（５９ａ〜５９ｃ）と、前記前構造体（２１）側又は前記後構造体（２３）側に設けられ且つ前記位置決め孔（５９ａ〜５９ｃ）に対して前後方向に嵌合する位置決め突部（５８ａ〜５８ｃ）とで構成されていることを特徴とする弾球遊技機。
【請求項２】
前記後構造体（２３）に、前記遊技盤（５）の裏側に設けられた凹部（３０）に対して所定の遊びをもって遊嵌する突部（２９）を設けたことを特徴とする請求項１に記載の弾球遊技機。
【請求項３】
前記前構造体（２１）に、前記可動演出手段（３２）の前側を覆う透明カバー（３６）を設け、該透明カバー（３６）の背面側に前記位置決め突部（５８ｃ）又は前記位置決め孔（５９ｃ）を設けたことを特徴とする請求項１又は２に記載の弾球遊技機。
【請求項４】
前記位置決め孔（５９ａ〜５９ｃ）に前記位置決め突部（５８ａ〜５８ｃ）を嵌合させる際に前記位置決め孔（５９ａ〜５９ｃ）と前記位置決め突部（５８ａ〜５８ｃ）とを互いに嵌合側に案内する嵌合案内手段（６６）を備えたことを特徴とする請求項１〜３の何れかに記載の弾球遊技機。
【請求項５】
前記嵌合案内手段（６６）は、前記前構造体（２１）の背面側又は前記後構造体（２３）の前面側に設けられた起立部（６３）と、前記後構造体（２３）の前面側又は前記前構造体（２１）の背面側に前記起立部（６３）に対応して設けられた傾斜案内部（７４）とを備え、該傾斜案内部（７４）は、前記位置決め孔（５９ａ，５９ｂ）に前記位置決め突部（５８ａ，５８ｂ）を嵌合させる際に前記起立部（６３）を摺動させて前記位置決め突部（５８ａ，５８ｂ）と前記位置決め孔（５９ａ，５９ｂ）とを互いに近づける方向に案内するように設けられていることを特徴とする請求項４に記載の弾球遊技機。
【請求項６】
前記傾斜案内部（７４）と前記起立部（６３）とは前記センターケース（１３）の外縁部近傍に複数組配置され、前記傾斜案内部（７４）は前記起立部（６３）を前記センターケース（１３）の内側に向けて案内するように設けられていることを特徴とする請求項５に記載の弾球遊技機。
【発明の詳細な説明】
【技術分野】
【０００１】
本発明は、パチンコ機等の弾球遊技機に係り、詳しくは、遊技盤に形成された装着孔に対して前側から着脱自在に装着される前構造体と、後側に配置される画像表示手段の表示窓を備え且つ前構造体に対応して遊技盤の裏側に着脱自在に装着される後構造体と、前構造体と後構造体との間に配置され且つ後構造体側に設けられた可動部材とで構成されるセンターケースを備えた弾球遊技機に関するものである。
【背景技術】
【０００２】
パチンコ機に代表される弾球遊技機では、遊技領域の略中央に、画像表示手段用の表示窓を有するセンターケースを装着したものが多い。またこのセンターケースは、画像表示手段の大画面化等に伴って大型化が進んだこともあり、現在では、遊技盤の前側に装着される前構造体と、この前構造体に対応して遊技盤の裏側に装着される後構造体の二つのユニットで構成されたものが主流である（例えば特許文献１）。この種の弾球遊技機では、前構造体と後構造体とが夫々個別に遊技盤に対して位置決め・固定されている。
【０００３】
また最近では、画像表示手段に表示するバーチャルな画像による演出のみではインパクトに欠けることから、これに機械的な動作を組み合わせて演出効果をより高めるべく、特許文献１に記載された弾球遊技機のように、例えば後構造体側に可動演出手段を設けたものも多い。
【先行技術文献】
【特許文献】
【０００４】
【特許文献１】特開２００７−２９４２０号公報
【発明の概要】
【発明が解決しようとする課題】
【０００５】
上述したように、従来の弾球遊技機では、センターケースを構成する前構造体と後構造体とが遊技盤を介して間接的に位置決めされているため、特に前構造体とのクリアランスを十分に確保することができない大型の可動演出手段を後構造体側に搭載しているような場合には、製造誤差により前構造体又は後構造体と遊技盤との位置関係が微妙にずれただけで可動演出手段と前構造体とが干渉してしまうという問題があった。
【０００６】
本発明は、上記事情に鑑みてなされたものであり、その目的とするところは、クリアランスを十分に確保することができない大型の可動演出手段を搭載した場合でも、この可動演出手段と前構造体とが干渉しないように前構造体と後構造体とが正確に位置決めされる弾球遊技機を提供することにある。
【課題を解決するための手段】
【０００７】
本発明は、遊技盤５に形成された装着孔２０に対して前側から着脱自在に装着される前構造体２１と、後側に配置される画像表示手段２２の表示窓２５を有し且つ前記前構造体２１に対応して前記遊技盤５の裏側に着脱自在に装着される後構造体２３と、前記前構造体２１と前記後構造体２３との間に配置され且つ前記後構造体２３側に設けられた可動演出手段３２とを有するセンターケース１３を備えた弾球遊技機において、前記遊技盤５に対して前記前構造体２１を位置決めする第１位置決め手段５４と、前記前構造体２１に対して前記後構造体２３を位置決めする第２位置決め手段５５とを備え、前記第２位置決め手段５５は、前記後構造体２３側又は前記前構造体２１側に設けられた位置決め孔５９ａ〜５９ｃと、前記前構造体２１側又は前記後構造体２３側に設けられ且つ前記位置決め孔５９ａ〜５９ｃに対して前後方向に嵌合する位置決め突部５８ａ〜５８ｃとで構成されているものである。
【発明の効果】
【０００８】
本発明によれば、クリアランスを十分に確保することができない大型の可動演出手段３２を後構造体２３側に搭載した場合でも、製造誤差により前構造体又は後構造体と遊技盤との位置関係が多少ずれたとしても可動演出手段３２と前構造体２１との干渉を防止できる。
【図面の簡単な説明】
【０００９】
【図１】本発明の一実施形態を示すパチンコ機の全体斜視図である。
【図２】遊技盤の正面図である。
【図３】センターケースを構成する後構造体の正面図である。
【図４】遊技盤の要部側面断面図である。
【図５】センターケースの分解側面断面図である。
【図６】センターケースを構成する前構造体の斜視図である。
【図７】センターケースを構成する後構造体の斜視図である。
【図８】後構造体の上部位置決め孔近傍の拡大正面図である。
【図９】後構造体の下部位置決め孔近傍の拡大正面図である。
【図１０】上部位置決め突部と上部位置決め孔との対応関係を示す説明図である。
【図１１】下部位置決め突部と下部位置決め孔との対応関係を示す説明図である。
【図１２】嵌合案内手段による案内動作の説明図である。
【図１３】後構造体側の突部と遊技盤側の凹部との嵌合状態を示す説明図である。
【発明を実施するための形態】
【００１０】
以下、本発明の実施形態を図面に基づいて詳述する。図１〜図１３は本発明をパチンコ機に採用した第１の実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１１】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１２】
遊技盤５の前側には、発射手段により発射された遊技球を案内するガイドレール１２が略環状に装着されると共に、そのガイドレール１２内の遊技領域５ａには、その略中央にセンターケース１３が配置され、更にそのセンターケース１３の左側に通過ゲート１４が、下側に開閉式入賞手段１５及び大入賞手段１６が配置される他、普通入賞手段１７等の各種遊技部品が装着されている。
【００１３】
センターケース１３は、図２〜図７に示すように、遊技盤５に形成された装着孔２０に対して前側から着脱自在に装着される前構造体２１と、後側に液晶表示ユニット等の画像表示手段２２が装着され且つ前構造体２１に対応して遊技盤５の裏側に着脱自在に装着される後構造体２３とを備えている。
【００１４】
後構造体２３は、図３，図５〜図７に示すように、前側が開放した略箱形に形成され且つその背壁２４に画像表示手段２２の表示画面２２ａに対応する矩形状の表示窓２５が形成された本体ケース２６と、この本体ケース２６の前縁側から遊技盤５の背面に沿って鍔状に設けられた固定壁２７と、本体ケース２６内に配置される演出手段２８とを備え、本体ケース２６の背壁２４の後側に画像表示手段２２を装着した状態で、固定壁２７を遊技盤５の背面側に固定することにより遊技盤５に着脱自在に装着されている。
【００１５】
固定壁２７の前面側には、例えば円形の突部２９が複数設けられており、後構造体２３は、これら突部２９を遊技盤５の裏面側に設けられた凹部３０に夫々嵌合させた状態で遊技盤５の裏側にねじ止め等により固定されるようになっている。なお、遊技盤５側の凹部３０は、図１３に示すように、後構造体２３側の突部２９よりも若干大きめの例えば円形に形成されており、突部２９は所定の遊びをもって凹部３０に遊嵌するようになっている。
【００１６】
演出手段２８は、例えば戦艦の船首部分をモチーフにした一部可動式の造形物で、表示窓２５の前側に配置され且つ一対の駆動モータ３１の駆動により図示しない連動機構を介して表示画面２２ａの前側を略覆う被覆位置（図３に一点鎖線で示す）と表示画面２２ａの左右両側の待避位置（図３に実線で示す）との間で左右方向に移動可能な一対の可動演出手段３２と、表示窓２５の上側に配置される固定演出手段３３とを備え、左右の可動演出手段３２が表示画面２２ａの前側の被覆位置にあるとき、それら可動演出手段３２とその上側の固定演出手段３３とで船首部分が形成されるようになっている。
【００１７】
また、演出手段２８は、船首部分を形成するものであるため下部側から上部側にかけて徐々に前側に迫り出しており、その上部側の一部、例えば可動演出手段３２の上部側の一部と固定演出手段３３の上下方向全体が、図４に示すように固定壁２７よりも前側、即ち遊技盤５の装着孔２０内に突出している。なお、演出手段２８には、例えば可動演出手段３２に対応する部分の中央に砲口を表す開口部３４が設けられており、例えば開口部３４に沿って可動演出手段３２内に配置されるＬＥＤ等の発光体を発光させることにより大砲の発射を演出するようになっている。
【００１８】
前構造体２１は、図２，図４〜図６に示すように、装着孔２０に沿って後構造体２３側の表示窓２５を取り囲むように配置される装飾枠３５と、この装飾枠３５の内側の窓孔３５ａを塞ぐように例えば装飾枠３５に対して後側から装着される透明カバー３６とを備えている。なお、窓孔３５ａは、可動演出手段３２が被覆位置にある時の演出手段２８の外形に沿った形状に形成されており、可動演出手段３２が被覆位置にある時の演出手段２８の略全体が、窓孔３５ａ内の透明カバー３６を通して遊技盤５の前側から視認可能となっている。
【００１９】
装飾枠３５は、装着孔２０の内面に沿って配置された嵌合壁３７と、この嵌合壁３７の前端側から遊技盤５の前面側に沿う鍔状に設けられた前面当接板３８と、この前面当接板３８の上部側から左右両側にかけて前向き突出状に配置された庇部３９と、表示窓２５の下側に沿うように下部側の前面当接板３８の後側に左右方向に配置されたステージ４０とを備え、例えば前面当接板３８を遊技盤５に前側からねじ止めすることにより遊技盤５に対して着脱自在に固定されている。
【００２０】
装飾枠３５の側部、例えば左右両側には、遊技球が入球可能な入球口４１と、この入球口４１に入球した遊技球をステージ４０に案内する案内通路４２とが設けられている。入球口４１は、例えば庇部３９の下端側に対応して設けられ、前面当接板３８の前側に沿って斜め上向きに配置されている。
【００２１】
案内通路４２は、入球口４１の下流側に接続され且つ窓孔３５ａの内側に沿って略上下方向に配置されており、その下流端側に設けられた排出口４２ａがステージ４０の左右両端側に連通している。なお、案内通路４２の背壁４３は透明カバー３６により構成されている。
【００２２】
前面当接板３８は、その下部側が、左右両端側よりも中央が若干下がった略Ｖ型に形成されており、その下部当接板３８ａの後側にステージ４０が後ろ向き突出状に配置されている。ステージ４０は、入球口４１に入球した遊技球を自由に転動させて前側に落下させるもので、例えば左右方向中央に配置されるクルーンステージ部４４と、案内通路４２側の排出口４２ａから排出された遊技球をクルーンステージ部４４に誘導する誘導通路４５が設けられた左右一対の案内ステージ部４６とを備えている。
【００２３】
クルーンステージ部４４は、遊技球を渦巻き状に転動させて中央部に設けられた複数、例えば三つの落下孔４７の何れかに落下させるもので、左右の誘導通路４５よりも一段低い皿状に形成されている。また、下部当接板３８ａには、クルーンステージ部４４の下側に対応して排出孔４８が形成され、またステージ４０の下側には、落下孔４７と排出孔４８とを連結する案内樋４９が設けられており、落下孔４７に落下した遊技球は、案内樋４９により前向きに案内され、排出孔４８から前側に排出されるようになっている。
【００２４】
案内ステージ部４６は、下部当接板３８ａの後側に沿って前後方向略一定幅で且つ左右両端側が中央端側よりも高い傾斜状に形成されており、その上面側に、案内通路４２の排出口４２ａとクルーンステージ部４４とを連結する例えば溝状の誘導通路４５が左右方向に設けられている。
【００２５】
透明カバー３６は、可動演出手段３２の可動領域と遊技球の可動領域とを区分するように演出手段２８の前側を覆うもので、透明な合成樹脂により装飾枠３５の窓孔３５ａに略対応する形状に形成され、装飾枠３５に対して後側から着脱自在に固定されている。
【００２６】
透明カバー３６は、可動演出手段３２の前側を覆う上下方向略中央の中間カバー部３６ａと、この中間カバー部３６ａの上側に設けられ且つ固定演出手段３３の前側を覆う上カバー部３６ｂと、中間カバー部３６ａの下側に設けられ且つステージ４０の後側を覆う下カバー部３６ｃとを一体に備えている。
【００２７】
中間カバー部３６ａは、可動演出手段３２の前縁側の形状及びその移動軌跡に沿うように後下がりの傾斜状に配置された略平板状に形成されている。なお、中間カバー部３６ａは、可動演出手段３２の移動時の干渉を避けるために平面断面は左右方向に略直線状とする必要があるが、側面断面については必ずしも直線状である必要はなく、可動演出手段３２の前縁形状に合わせて例えば曲線状としてもよい。また、中間カバー部３６ａの左右両端側には、装飾枠３５の背面側に沿って窓孔３５ａよりも外側に突出する延設部５１が一体に設けられており、この延設部５１の一部が案内通路４２の背壁４３を構成している。
【００２８】
上カバー部３６ｂは、中間カバー部３６ａの上縁側から上向きに延設され、固定演出手段３３の前面側に沿う緩やかな曲面状に形成されており、その外縁部が窓孔３５ａの内側に後側から嵌合している。なお、中間カバー部３６ａの外縁側には、窓孔３５ａの内縁側よりも前側に突出した部分に後ろ向きの折り返し部５２が一体に設けられ、この折り返し部５２の後縁側が窓孔３５ａの内側に嵌合している。
【００２９】
下カバー部３６ｃは、中間カバー部３６ａの下縁側からステージ４０の案内ステージ部４６及び装飾枠３５の後縁側に沿って例えば嵌合壁３７の外縁側まで延設されており、その左右方向中央部分には、クルーンステージ部４４の後部側が嵌合する後ろ向きの凹入部５３が形成されている。
【００３０】
前構造体２１と後構造体２３を遊技盤５に装着する際には、まず前構造体２１を第１位置決め手段５４により遊技盤５に対して所定位置に位置決めしつつ固定し、続いて、後構造体２３を第２位置決め手段５５により前構造体２１に対して所定位置に位置決めしつつ、遊技盤５に固定する。
【００３１】
ここで、第１位置決め手段５４は、遊技盤５の前面側に設けられた位置決め孔５６（図５）と、この位置決め孔５６に対応して前構造体２１側に設けられた位置決め突部５７とで構成されている。位置決め突部５７は、例えば前面当接板３８の裏側に複数配置されている。
【００３２】
また、第２位置決め手段５５は、前構造体２１側に設けられた複数、例えば三つの位置決め突部５８ａ〜５８ｃと、それら位置決め突部５８ａ〜５８ｃに対応して後構造体２３側に設けられた複数の位置決め孔５９ａ〜５９ｃとで構成されている。
【００３３】
前構造体２１側の位置決め突部５８ａ〜５８ｃは、例えば円筒状又は円柱状で、前構造体２１の背面側に後ろ向き突出状に設けられており、前構造体２１の上部側に左右一対の上部位置決め突部５８ａ，５８ｂが、前構造体２１の下部側に下部位置決め突部５８ｃが夫々配置されている。下部位置決め突部５８ｃは、例えば透明カバー３６の背面側に設けられており、透明カバー３６の下端部中央から下向きに突設された突設部６１上に配置されている。
【００３４】
上部位置決め突部５８ａ，５８ｂは、装飾枠３５の上部側背面６２上で且つその中央から左右方向所定距離の略対称位置に配置されており、その上部側背面６２は例えば遊技盤５の背面と略面一となっている。また、上部側背面６２には、上部位置決め突部５８ａ，５８ｂに沿って第１，第２補強リブ６３，６４が一体に設けられている。第１補強リブ６３は、例えば上部位置決め突部５８ａ，５８ｂの左右両側に設けられ、装飾枠３５に沿って左右方向外側が低い傾斜状に配置されている。第２補強リブ６４は、例えば上部位置決め突部５８ａ，５８ｂの上側に第１補強リブ６３に直交する方向に配置されている。
【００３５】
また、第１，第２補強リブ６３，６４の突設高さは上部位置決め突部５８ａ，５８ｂよりも低くなっており、上部位置決め突部５８ａ，５８ｂの先端側の第１，第２補強リブ６３，６４よりも突出した部分が、上部位置決め孔５９ａ，５９ｂに嵌合する先端嵌合部６５となっている。なお、第１補強リブ６３は、後述する案内突設部７１と共に、上部位置決め孔５９ａ，５９ｂに上部位置決め突部５８ａ，５８ｂを嵌合させる際に上部位置決め孔５９ａ，５９ｂと上部位置決め突部５８ａ，５８ｂとを互いに嵌合側に案内する嵌合案内手段６６を構成している。
【００３６】
後構造体２３側の位置決め孔５９ａ〜５９ｃは、夫々位置決め突部５８ａ〜５８ｃが嵌合可能な例えば断面円形状で、後構造体２３の前側に設けられており、後構造体２３の上部側に上部位置決め突部５８ａ，５８ｂに対応する左右一対の上部位置決め孔５９ａ，５９ｂが、後構造体２３の下部側中央に下部位置決め突部５８ｃに対応する下部位置決め孔５９ｃが夫々配置されている。
【００３７】
上部位置決め孔５９ａ，５９ｂは、後構造体２３の上部前側に着脱自在に装着された上部装着部材６７に設けられている。上部装着部材６７は、本体ケース２６の上部周壁２６ａの内面側に沿って配置される横板部６８と、この横板部６８の前縁側から上向きに延設された縦板部６９とを一体に備え、この縦板部６９に上部位置決め孔５９ａ，５９ｂが設けられている。
【００３８】
なお、後構造体２３の上部側の固定壁２７には、その下縁側に沿って後ろ向きの凹入部７０が形成されており、上部装着部材６７の縦板部６９はこの凹入部７０の奥壁７０ａの前面側に沿って、固定壁２７から所定距離後方に配置されている。ここで、前構造体２１側の上部位置決め突部５８ａ，５８ｂは、遊技盤５の背面と略面一の上部側背面６２から後ろ向きに突設されているため、図４等に示すようにその先端側の先端嵌合部６５のみが上部位置決め孔５９ａ，５９ｂに嵌合する。
【００３９】
また、上部装着部材６７の縦板部６９には、上部位置決め孔５９ａ，５９ｂの近傍に夫々案内突設部７１が前向き突出状に設けられている。この案内突設部７１は、前構造体２１側の第１補強リブ６３の一面側、例えば上側に対応するように配置され、図８及び図１０に示すように、第１補強リブ６３に略直交する方向に配置された一又は複数の縦リブ７２と、この縦リブ７２に略直交する一又は複数の横リブ７３とで構成されている。
【００４０】
縦リブ７２の第１補強リブ６３側端部には、前構造体２１側の第１補強リブ（起立部の一例）６３と共に嵌合案内手段６６を構成する傾斜案内部７４が設けられており、図１２に示すように、位置決め孔５９ａ〜５９ｃに位置決め突部５８ａ〜５８ｃを嵌合させる際に第１補強リブ６３を摺動させて上部位置決め突部５８ａ，５８ｂと上部位置決め孔５９ａ，５９ｂとを互いに近づける方向に案内するようになっている。
【００４１】
下部位置決め孔５９ｃは、後構造体２３の下部前側に着脱自在に装着された下部装着部材７５に設けられている。下部装着部材７５は、本体ケース２６内で且つ表示窓２５の下側に配置され、その下部中央前側に下部位置決め孔５９ｃが設けられる他、上部側に可動演出手段３２を左右方向に案内する案内レール部７６が、前側にＬＥＤ基板７７、駆動モータ３１等が夫々配置されている。
【００４２】
また、下部装着部材７５には、図９，図１１等に示すように、下部位置決め孔５９ｃの前側に、前構造体２１側の下部位置決め突部５８ｃを下部位置決め孔５９ｃ側に案内する案内レール７８が突設されている。この案内レール７８は、前構造体２１側の突設部６１の下縁側に沿って設けられる略水平な底壁部７９と、突設部６１の左右両側に沿って底壁部７９から上向きに延設された一対の側壁部８０とを備え、側壁部８０の上部前端側には前下がりの傾斜案内部８１が設けられている。これにより、位置決め孔５９ａ〜５９ｃに位置決め突部５８ａ〜５８ｃを嵌合させる際に、下部位置決め突部５８ｃが設けられている透明カバー３６の下縁部８２のうち、突設部６１の左右両側の部分が傾斜案内部８１に案内されて上向きに押し上げられ、その後、突設部６１が案内レール７８に沿って前側に案内される。
【００４３】
なお、嵌合案内手段６６を構成する第１補強リブ６３と傾斜案内部７４とはセンターケース１３の上縁部近傍に二組配置され、各傾斜案内部７４は第１補強リブ６３を夫々センターケース１３の内側に向けて案内するように設けられているため、後構造体２３を嵌合案内手段６６の案内に従って遊技盤５側に近づければ、上部位置決め孔５９ａ，５９ｂが上部位置決め突部５８ａ，５８ｂ側に案内されるだけでなく下部位置決め孔５９ｃも下部位置決め突部５８ｃ側に案内され、位置決め孔５９ａ〜５９ｃに位置決め突部５８ａ〜５８ｃを容易に嵌合させることができる。
【００４４】
また、後構造体２３を遊技盤５に装着する際には、装着位置の目安として、後構造体２３側の固定壁２７に設けられた突部２９を遊技盤５側の凹部３０に合わせるようにすればよい。
【００４５】
以上説明したように、本実施形態のパチンコ機は、遊技盤５に対して前構造体２１を位置決めする第１位置決め手段５４と、前構造体２１に対して後構造体２３を位置決めする第２位置決め手段５５とを備え、第２位置決め手段５５は、後構造体２３側に設けられた位置決め孔５９ａ〜５９ｃと、前構造体２１側に設けられ且つ位置決め孔５９ａ〜５９ｃに対して前側から嵌合する位置決め突部５８ａ〜５８ｃとで構成されているため、前構造体２１と後構造体２３とが第２位置決め手段５５により直接的に正確に位置決めされる。これにより、クリアランスを十分に確保することができない大型の可動演出手段３２を後構造体２３側に搭載しているにも拘わらず、製造誤差により前構造体又は後構造体と遊技盤との位置関係が多少ずれたとしても可動演出手段３２と前構造体２１との干渉を防止できる。
【００４６】
また、後構造体２３に、遊技盤５の裏側に設けられた凹部３０に嵌合する突部２９を設けているため、装着位置の目安として後構造体２３側の突部２９を遊技盤５側の凹部３０に合わせるようにすれば、位置決め孔５９ａ〜５９ｃに位置決め突部５８ａ〜５８ｃを容易に嵌合させることができる。しかも、突部２９は凹部３０に対して所定の遊びをもって遊嵌するようになっているため、製造誤差による前構造体２１又は後構造体２３と遊技盤５との位置関係のズレを吸収できる。
【００４７】
また、前構造体２１に、可動演出手段３２の前側を覆う透明カバー３６を設け、この透明カバー３６の背面側に、後構造体２３側の下部位置決め孔５９ｃに嵌合する位置決め突部５８ｃを設けているため、例えば大型の可動演出手段３２を配置して透明カバー３６との間に十分なクリアランスがとれないような場合でも可動演出手段３２と透明カバー３６との干渉をより効果的に防止できる。
【００４８】
また、位置決め孔５９ａ〜５９ｃに位置決め突部５８ａ〜５８ｃを嵌合させる際に位置決め孔５９ａ〜５９ｃと位置決め突部５８ａ〜５８ｃとを互いに嵌合側に案内する嵌合案内手段６６を備えているため、位置決め突部５８ａ〜５８ｃを位置決め孔５９ａ〜５９ｃに容易に嵌合させることができる。
【００４９】
また、嵌合案内手段６６は、前構造体２１の背面側に設けられた第１補強リブ６３と、後構造体２３の前面側に第１補強リブ６３に対応して設けられた傾斜案内部７４とを備え、この傾斜案内部７４は、上部位置決め孔５９ａ，５９ｂに上部位置決め突部５８ａ，５８ｂを嵌合させる際に第１補強リブ６３を摺動させて上部位置決め突部５８ａ，５８ｂと上部位置決め孔５９ａ，５９ｂとを互いに近づける方向に案内するように設けられているため、簡易な構造で位置決め突部５８ａ〜５８ｃを位置決め孔５９ａ〜５９ｃに容易且つ確実に嵌合させることができる。
【００５０】
更に、傾斜案内部７４と第１補強リブ６３とはセンターケース１３の外縁部近傍に二組配置され、傾斜案内部７４は第１補強リブ６３をセンターケース１３の内側に向けて案内するように設けられているため、後構造体２３を嵌合案内手段６６の案内に従って遊技盤５側に近づければ、上部位置決め孔５９ａ，５９ｂが上部位置決め突部５８ａ，５８ｂ側に案内されるだけでなく下部位置決め孔５９ｃも下部位置決め突部５８ｃ側に案内され、位置決め孔５９ａ〜５９ｃに位置決め突部５８ａ〜５８ｃをより容易且つ確実に嵌合させることができる。
【００５１】
以上、本発明の実施形態について詳述したが、本発明はこれらの実施形態に限定されるものではなく、本発明の趣旨を逸脱しない範囲で種々の変更が可能である。例えば、第２位置決め手段５５は、前構造体２１側に位置決め孔を、後構造体２３側に位置決め突部を夫々設けてもよいし、前構造体２１側に位置決め孔及び位置決め突部を、後構造体２３側に位置決め突部及び位置決め孔を設けてもよい。
【００５２】
第２位置決め手段５５を構成する位置決め孔と位置決め突部は二組以上であれば何組設けてもよい。また、第１位置決め手段５４の位置決め孔と位置決め突部についても同様である。
【００５３】
嵌合案内手段６６は、後構造体２３の前面側に起立部を、前構造体２１の背面側に傾斜案内部を夫々設けてもよい。起立部は、傾斜案内部に沿って摺動可能であればリブ状のものに限らず、例えば前後方向の壁面等でもよい。また、実施形態では第２位置決め手段５５を構成する位置決め突部と一体に設けられた補強リブを起立部としたが、位置決め突部から離れた位置に起立部を設けてもよい。また、嵌合案内手段６６は省略してもよい。
【００５４】
なお、実施形態ではパチンコ機について例示したが、アレンジボール機、雀球遊技機等の他の弾球遊技機でも同様に実施可能であることはいうまでもない。
【符号の説明】
【００５５】
５    遊技盤
１３    センターケース
２０    装着孔
２１    前構造体
２２    画像表示手段
２３    後構造体
２５    表示窓
２９    突部
３０    凹部
３２    可動演出手段
３６    透明カバー
５４    第１位置決め手段
５５    第２位置決め手段
５８ａ  上部位置決め突部
５８ｂ  上部位置決め突部
５８ｃ  下部位置決め突部
５９ａ  上部位置決め孔
５９ｂ  上部位置決め孔
５９ｃ  下部位置決め孔
６３    第１補強リブ（起立部）
６６    嵌合案内手段
７４    傾斜案内部
【図１】
2010279794.tif 000003
【図２】
2010279794.tif 000004
【図３】
2010279794.tif 000005
【図４】
2010279794.tif 000006
【図５】
2010279794.tif 000007
【図６】
2010279794.tif 000008
【図７】
2010279794.tif 000009
【図８】
2010279794.tif 000010
【図９】
2010279794.tif 000011
【図１０】
2010279794.tif 000012
【図１１】
2010279794.tif 000013
【図１２】
2010279794.tif 000014
【図１３】
2010279794.tif 000015
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
遊技盤（５）に形成された装着孔（２０）に対して前側から着脱自在に装着される前構造体（２１）と、後側に配置される画像表示手段（２２）の表示窓（２５）を有し且つ前記前構造体（２１）に対応して前記遊技盤（５）の裏側に着脱自在に装着される後構造体（２３）と、前記前構造体（２１）と前記後構造体（２３）との間に配置され且つ前記後構造体（２３）側に設けられた可動演出手段（３２）と、前記表示窓（２５）の下側に対応して前記前構造体（２１）側に設けられ且つ入球口（４１）に入球した遊技球を転動させて前側に落下させるステージ（４０）とを有するセンターケース（１３）を備えた弾球遊技機において、前記遊技盤（５）に対して前記前構造体（２１）を位置決めする第１位置決め手段（５４）と、前記前構造体（２１）に対して前記後構造体（２３）を位置決めする第２位置決め手段（５５）とを備え、前記第２位置決め手段（５５）は、前記後構造体（２３）側又は前記前構造体（２１）側に設けられた位置決め孔（５９ａ〜５９ｃ）と、前記前構造体（２１）側又は前記後構造体（２３）側に設けられ且つ前記位置決め孔（５９ａ〜５９ｃ）に対して前後方向に嵌合する位置決め突部（５８ａ〜５８ｃ）とで構成されており、前記前構造体（２１）に、前記可動演出手段（３２）の前側を覆う透明カバー（３６）を設け、該透明カバー（３６）の下部側が前記ステージ（４０）の後側に配置され、前記透明カバー（３６）の背面側に前記位置決め突部（５８ｃ）又は前記位置決め孔（５９ｃ）を設けたことを特徴とする弾球遊技機。
【手続補正２】
【補正対象書類名】明細書
【補正対象項目名】０００７
【補正方法】変更
【補正の内容】
【０００７】
本発明は、遊技盤５に形成された装着孔２０に対して前側から着脱自在に装着される前構造体２１と、後側に配置される画像表示手段２２の表示窓２５を有し且つ前記前構造体２１に対応して前記遊技盤５の裏側に着脱自在に装着される後構造体２３と、前記前構造体２１と前記後構造体２３との間に配置され且つ前記後構造体２３側に設けられた可動演出手段３２と、前記表示窓２５の下側に対応して前記前構造体２１側に設けられ且つ入球口４１に入球した遊技球を転動させて前側に落下させるステージ４０とを有するセンターケース１３を備えた弾球遊技機において、前記遊技盤５に対して前記前構造体２１を位置決めする第１位置決め手段５４と、前記前構造体２１に対して前記後構造体２３を位置決めする第２位置決め手段５５とを備え、前記第２位置決め手段５５は、前記後構造体２３側又は前記前構造体２１側に設けられた位置決め孔５９ａ〜５９ｃと、前記前構造体２１側又は前記後構造体２３側に設けられ且つ前記位置決め孔５９ａ〜５９ｃに対して前後方向に嵌合する位置決め突部５８ａ〜５８ｃとで構成されており、前記前構造体２１に、前記可動演出手段３２の前側を覆う透明カバー３６を設け、該透明カバー３６の下部側が前記ステージ４０の後側に配置され、前記透明カバー３６の背面側に前記位置決め突部５８ｃ又は前記位置決め孔５９ｃを設けたものである。